【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
収集及び再構成方法を行うための少なくとも１つの電子プロセッサを含むワークステーションによって読み取り可能及び実行可能な命令を格納する非一時的コンピュータ可読媒体であって、
前記方法は、
放出画像収集デバイスを使用して、放出イメージングデータを収集する収集ステップであって、前記収集が収集時間にわたって行われるようにスケジュールされる、前記収集ステップと、
前記収集ステップ中に、収集された前記放出イメージングデータのカウント数又はカウントレートを測定する測定ステップと、
前記収集ステップ中に、調整済み収集時間を生成するように、測定された前記カウント数又はカウントレートに基づいて前記収集時間を調整する調整ステップと、
前記調整済み収集時間で前記収集ステップを停止する停止ステップと、
１つ以上の再構成画像を生成するように、前記調整済み収集時間にわたって収集された前記放出イメージングデータを再構成する再構成ステップと、
を含む、非一時的コンピュータ可読媒体。
【請求項２】
前記測定ステップは、測定時間間隔にわたってカウントレートを測定するステップを含み、
前記調整ステップは、前記調整済み収集時間を、（ｉ）前記カウントレートから推定される目標総カウント数を収集する時間と、（ｉｉ）最大収集時間とのうちの小さい方に設定するステップを含む、請求項１に記載の非一時的コンピュータ可読媒体。
【請求項３】
前記測定ステップは、前記収集ステップにわたる時間の関数として前記カウント数を測定するステップを含み、
前記調整ステップは、前記調整済み収集時間を、（ｉ）前記カウント数が目標総カウント数に到達する時間と、（ｉｉ）最大収集時間とのうちの小さい方に設定するステップを含む、請求項１に記載の非一時的コンピュータ可読媒体。
【請求項４】
前記方法は更に、
前記調整ステップが、前記調整済み収集時間を最大収集時間に設定する場合に、ユーザが認識可能な低カウント数警告を出力するステップを含む、請求項１又は２に記載の非一時的コンピュータ可読媒体。
【請求項５】
前記方法は更に、
データベースに格納されている過去のイメージングデータを使用して、前記カウントレートと前記収集時間との間の較正値を生成するステップと、
前記調整済み収集時間を生成するように前記収集時間を調整するために、生成された前記較正値を使用するステップと、
を含む、請求項１から４のいずれか一項に記載の非一時的コンピュータ可読媒体。
【請求項６】
前記方法は更に、
放出イメージングデータの前記収集ステップの開始前に、前記放出画像収集デバイスとは異なるモダリティの第２の画像収集デバイスから第２のイメージングデータを収集するステップと、
前記第２のイメージングデータから減衰マップを生成するステップと、
少なくとも、生成された前記減衰マップ及び前記放出画像収集デバイスの感度行列を使用して、前記収集ステップの前記収集時間をスケジュールするステップと、
を含み、前記放出画像収集デバイスは、陽電子放出断層撮影（ＰＥＴ）イメージングデバイスであり、前記第２の画像収集デバイスは、コンピュータ断層撮影（ＣＴ）イメージングデバイスである、請求項１から５のいずれか一項に記載の非一時的コンピュータ可読媒体。
【請求項７】
前記調整ステップは、前記調整済み収集時間を生成するように、測定された前記カウントレート、生成された前記減衰マップ及び前記放出画像収集デバイスの前記感度行列に基づいて前記収集時間を調整するステップを含む、請求項６に記載の非一時的コンピュータ可読媒体。
【請求項８】
前記測定ステップは、断層撮影範囲の１８０°にわたる角度ビンのカウントレートを測定するステップを含み、
前記調整ステップは、各角度ビンが、予め選択されたデータ閾値を上回るデータ量を含むように前記収集時間を調整するステップを含む、請求項１から７のいずれか一項に記載の非一時的コンピュータ可読媒体。
【請求項９】
前記測定ステップは、
前記収集ステップ中に、初期画像を生成するように、前記放出イメージングデータの最初に収集された部分を再構成するステップと、
前記初期画像の単位ボリューム当たりのカウント数又はカウントレートを決定するステップと、
を含み、
前記調整ステップは、前記初期画像にわたって単位ボリューム当たりの最小カウント数を達成するように、前記収集時間を調整するステップを含む、請求項１から８のいずれか一項に記載の非一時的コンピュータ可読媒体。
【請求項１０】
陽電子放出断層撮影（ＰＥＴ）デバイスと、
少なくとも１つの電子プロセッサと、
を含み、
前記少なくとも１つの電子プロセッサは、
放出イメージングデータを収集ための放出画像収集デバイスを制御するようにプログラムされ、前記収集が収集時間にわたって行われるようにスケジュールされ、
前記少なくとも１つの電子プロセッサは、
前記収集中に、収集された前記放出イメージングデータのカウント数又はカウントレートを測定し、
前記収集中に、調整済み収集時間を生成するように、測定された前記カウント数又はカウントレートに基づいて前記収集時間を調整し、
前記調整済み収集時間で前記収集を停止し、
１つ以上の再構成画像を生成するように、前記調整済み収集時間にわたって収集された前記放出イメージングデータを再構成するようにプログラムされる、イメージングシステム。
【請求項１１】
前記少なくとも１つの電子プロセッサは更に、
測定時間間隔にわたってカウントレートを測定し、
前記調整済み収集時間を、（ｉ）前記カウントレートから推定される目標総カウント数と、（ｉｉ）最大収集時間とのうちの小さい方に設定するようにプログラムされる、請求項１０に記載のイメージングシステム。
【請求項１２】
前記少なくとも１つの電子プロセッサは更に、
前記収集にわたる時間の関数として前記カウント数を測定し、
前記調整済み収集時間を、（ｉ）前記カウント数が目標総カウント数に到達する時間と、（ｉｉ）最大収集時間とのうちの小さい方に設定するようにプログラムされる、請求項１０に記載のイメージングシステム。
【請求項１３】
前記少なくとも１つの電子プロセッサは更に、
データベースに格納されている過去のイメージングデータを使用して、前記カウントレートと前記収集時間との間の較正値を生成し、
前記調整済み収集時間を生成するように前記収集時間を調整するために、生成された前記較正値を使用するようにプログラムされる、請求項１０から１２のいずれか一項に記載のイメージングシステム。
【請求項１４】
前記少なくとも１つの電子プロセッサは更に、
放出イメージングデータの前記収集の開始前に、コンピュータ断層撮影（ＣＴ）イメージングデータを収集するようにＣＴデバイスを制御し、
前記ＣＴイメージングデータから減衰マップを生成し、
少なくとも、生成された前記減衰マップ及び前記ＰＥＴデバイスの感度行列を使用して、前記収集の前記収集時間をスケジュールするようにプログラムされる、請求項１０から１３のいずれか一項に記載のイメージングシステム。
【請求項１５】
前記少なくとも１つの電子プロセッサは更に、
前記調整済み収集時間を生成するように、測定された前記カウントレート、生成された前記減衰マップ及び前記ＰＥＴデバイスの前記感度行列に基づいて前記収集時間を調整するようにプログラムされる、請求項１４に記載のイメージングシステム。